(57)【要約】【課題】  ハトメをカシメる治工具であるカール駒が不要でカール駒の摩耗による新規製作や交換等の煩わしい作業手間をなくし、ハトメ本体の円筒部先端の亀裂の発生を防止して、ハトメの固定強度と作業中の安全性を向上させる。【解決手段】  ハトメ本体の円筒部先端を導入し外方へ押し広げ円弧状にカールさせるカール形成部を、座金の外周縁を延出し中心方向に折り曲げて座金と一体に形成することにより、座金にハトメの円筒部先端をカール形成する機能を持たせる。【選択図】  図１
2014200801.tif 000002
【特許請求の範囲】
【請求項１】
円筒部の基端に鍔部を有するハトメ本体と、ハトメ挿通孔を有する円板状の座金とで構成され、シートに形成した開孔と座金のハトメ挿通孔にハトメ本体の円筒部を挿通し、該円筒部の先端を外方へ押し広げ円弧状にカールさせて座金をシートに押圧し、ハトメ本体の鍔部と座金とでシートの開孔縁を挟持し固定するハトメにおいて、前記ハトメ本体の円筒部先端を導入し外方へ押し広げ円弧状にカールさせるカール形成部を、座金の外周縁を延出し中心方向に折り曲げて座金と一体に形成したことを特徴とするハトメ。
【請求項２】
カール形成部は連結部を介して座金の外周縁に連結されていることを特徴とする請求項１記載のハトメ。
【発明の詳細な説明】
【技術分野】
【０００１】
本発明は、テントシートや工事用の防音シート等のシートの周縁部に取付け、シートを展張し固定するためのロープを挿通したりフックを引っ掛けて使用するシート固定具に使用するハトメに関するものである。
【背景技術】
【０００２】
一般に、かかるシート固定具としては、下記特許文献に示すように、テントシートや工事用の防音シート等のシートの周縁部に開孔を形成し、該開孔にハトメ本体と座金とで構成されるハトメが使用されている。ハトメを固定するのに、ハトメ本体と座金を用いて、ハトメ本体の円筒部をシートの開孔及び座金のハトメ挿通孔に押し通し、押し通したハトメ本体の円筒部先端を周知の治工具（以下カール駒と称する）を用いてシートにカシメ固定するのである。
【０００３】
すなわち、カール駒は、ハトメ本体の鍔部を背面から支持する下駒と、ハトメ本体の円筒部先端を導入して外方に押し広げて円弧状にカールさせるカール形成部を有する上駒を備え、該カール形成部で形成したハトメ本体のカール部により座金をシートに押圧し、該座金とハトメ本体の基端部に形成した鍔部とでシートを挟持し固定している。
【先行技術文献】
【特許文献】
【０００４】
【特許文献１】特開２０００−３２６６７９号公報
【特許文献２】特開２０００−２６３１５６号公報
【特許文献３】登録実用新案第３１１６０３７号公報
【発明の概要】
【発明が解決しようとする課題】
【０００５】
しかしながら、上記特許文献１乃至３に示す従来例は、明記されていないが  固定するために専用の治工具であるカール駒が必要であり、カール駒をなくしては、ハトメと座金の間でシートを固定することはできないものである。
【０００６】
また、カール駒を繰り返し使用しているとカール形成部が磨耗して成形性が悪くなり、ハトメの円筒部先端が外方へ押し広げられ円弧状にカールされるとき、ハトメの円筒部先端にしばしば亀裂が発生しハトメ本体が破損する問題がある。この問題を解消するために、その都度カール駒を新規製作して交換したりハトメの再製作などで対応しなければならず、その作業手間が煩わしいものになっていた。
【０００７】
さらに、ハトメ本体の円筒部先端のカール部に亀裂が生じた場合には、シートへの固定強度が弱くなり、しかもその亀裂によりシートの展張作業中に手指に怪我することが度々あり、作業中の安全性にも問題があった。
【０００８】
本発明は、上記課題に鑑みて成し遂げたもので、その目的とするところは、カール駒が不要でカール駒の摩耗による新規製作や交換等の煩わしい作業手間をなくし、ハトメの固定強度の低下を防止し、作業中の安全性を向上させるハトメを提供するところにある。
【課題を解決するための手段】
【０００９】
請求項１記載の発明は、円筒部の基端に鍔部を有するハトメ本体と、ハトメ挿通孔を有する円板状の座金とで構成され、シートに形成した開孔と座金のハトメ挿通孔にハトメ本体の円筒部を挿通し、該円筒部の先端を外方へ押し広げ円弧状にカールさせて座金をシートに押圧し、ハトメ本体の鍔部と座金とでシートの開孔縁を挟持し固定するハトメにおいて、前記ハトメ本体の円筒部先端を導入し外方へ押し広げ円弧状にカールさせるカール形成部を、座金の外周縁を延出し中心方向に折り曲げて座金と一体に形成したことを特徴とするものである。
【００１０】
請求項２記載の発明は、カール形成部は連結部を介して座金の外周縁に連結されていることを特徴とするものである。
【発明の効果】
【００１１】
請求項１の構成により、ハトメ本体の円筒部先端を座金に設けたカール形成部でカールするため、従来のようなカール駒を必要とせず、従ってカール駒の摩耗による新規製作や交換等の煩わしい作業手間がなくなる。また、座金でカールするところから常に新しい成形性の良いカール成形部が得られ、従来の同じカール駒を使い続けることによるカール形成部の摩耗もなく、ハトメ本体の円筒部先端の亀裂が少なくなり、ハトメの固定強度の低下が防止できる。
【００１２】
さらに、ハトメ本体の円筒部先端は座金とカール形成部の間に導入されてカール形成されるため、万一ハトメ本体の円筒部先端に亀裂が発生しても、その亀裂が外部に露出することがなく、従って、シートの展張作業中に手指に傷を負うことがなく、作業中の安全性が確保できる。
【００１３】
請求項２の構成により、座金の外周縁からの延出部分の全体を円弧状のカール形成部とする場合に比べて、カール形成部の円弧の曲率を小さくできるので、その分ハトメ本体の円筒部先端を外方へ押し広げる量が少なくなり、従って、ハトメ本体の円筒部先端の亀裂の発生が極めて少なくなる。
【図面の簡単な説明】
【００１４】
【図１】本発明実施例の取付け状態を示す断面正面図
【図２】同上の取付け前の状態を示す断面正面図
【図３】同上の座金への侵入過程を示す断面正面図
【図４】同上のハトメの斜視図
【発明を実施するための形態】
【実施例】
【００１５】
以下、本発明の実施例について、図１乃至図３に基づき説明する。ハトメは真鍮製で、ハトメ本体１と座金２とで構成され、ハトメ本体１は円筒部３の基端に鍔部４を備えており、座金２は真鍮製で円板状に形成され、中心にハトメ挿通孔５を備えている。              
【００１６】
座金２は、周知のカール駒のカール形成部と同じ機能を有するカール形成部６を一体に形成している。すなわち、ハトメ本体１の円筒部３の先端を導入し外方へ押し広げ円弧状にカールさせるカール形成部６を、座金２の外周縁を延出し中心方向に折り曲げて形成すると共に、該カール形成部６を連結部７を介して座金２の外周縁に連結している。
【００１７】
このように、カール形成部６を連結部７を介して座金２の外周縁と連結することにより、カール形成部７の円弧の曲率を小さくできるので、その分ハトメ本体１の円筒部３の先端を外方へ押し広げる量が少なくなり、従って、ハトメ本体１の円筒部３の先端の亀裂の発生が極めて少なくなるのである。
【００１８】
ハトメのシート８への取付けは、シート８に形成した開孔９と座金２のハトメ挿通孔５にハトメ本体１の円筒部３を挿通し、ハトメ本体１の鍔部４背面と座金２のカール形成部６の背面に治工具（図示せず）を当ててプレスすると、座金２のカール形成部６により該円筒部３の先端が外方へ円弧状に押し広げられてカールし、これにより座金２をシート８に押圧し、ハトメ本体１の鍔部４と座金２とでシート８の開孔縁を挟持し固定される。
【００１９】
上記のように、ハトメ本体１の円筒部３の先端は、座金２の内部でカール付けされ、カール部分は外方に露出しないようになっている。従って、万一、ハトメ本体１の円筒部３の先端に亀裂が発生しても、シート９の展張作業中にその亀裂で手指に怪我をすることがなくなるのである。
【符号の説明】
【００２０】
１      ハトメ本体
２      座金
３      円筒部
４      鍔部
５      ハトメ挿通孔
６      カール形成部
７      連結部
８      シート
９      開孔
【図１】
2014200801.tif 000003
【図２】
2014200801.tif 000004
【図３】
2014200801.tif 000005
【図４】
2014200801.tif 000006